(57)【要約】【課題】レバー位置の復元機能を簡易な機構により実現すると同時に、レバー部の復元用バネの破損および脱落を防止することを可能にするラッチ解除機構付パッケージを提供する。【解決手段】接続するケージ１０に挿抜自在なケース２を有し、ケージ１０に形成した係止孔１２にケース２に形成した係止用突起部４を係止し、かつこれをケージ１０に設けたバネ板部１１で係脱するラッチ解除機構付パッケージ１において、係止用突起部４に係止した係止孔１２を外す方向に回動してバネ板部１１を撓ませるレバー５と、そのレバー５をケース２に回動自在に支持する支軸６と、その支軸６に巻き付けられ、レバー５を回動方向とは反対方向に付勢する復元用バネ７とを備えたものである。【選択図】図１
2007334562.tif 000002
【特許請求の範囲】
【請求項１】
接続するケージに挿抜自在なケースを有し、前記ケージに形成した係止孔に前記ケースに形成した係止用突起部を係止し、かつこれを前記ケージに設けたバネ板部で係脱するラッチ解除機構付パッケージにおいて、前記係止用突起部に係止した前記係止孔を外す方向に回動して前記バネ板部を撓ませるレバーと、そのレバーを前記ケースに回動自在に支持する支軸と、その支軸に巻き付けられ、前記レバーを回動方向とは反対方向に付勢する復元用バネとを備えたことを特徴とするラッチ解除機構付パッケージ。
【請求項２】
前記レバーは、前記支軸を挿通する軸穴と、その軸穴よりも奥側に設けられ、前記バネ板部を押し下げるフック部と、前記軸穴よりも手前側に設けたつまみ部とで構成される請求項１記載のラッチ解除機構付パッケージ。
【請求項３】
前記軸穴は、前記復元用バネを両側から挟むようにレバー本体に一体形成される請求項２記載のラッチ解除機構付パッケージ。
【請求項４】
前記復元用バネは、うず巻バネで形成され、一端部が前記ケースの手前側の底面に当接し、中央部が前記支持軸に巻き付けられ、他端部が前記つまみ部に当接する請求項２または３記載のラッチ解除機構付パッケージ。
【請求項５】
前記復元用バネは、コイル部と、そのコイル部から延出した延出部とからなるコイルバネで形成され、前記コイル部の一端が前記ケースの手前側の底面に当接し、前記コイル部の他端が前記つまみ部に当接し、前記延出部が前記支軸に巻き付けられる請求項２または３記載のラッチ解除機構付パッケージ。
【請求項６】
前記レバーは、前記ケースに対して斜め下方の位置から前記ケースの手前側の底面に当接する位置まで、前記ケースに回動自在に設けられる請求項１〜５いずれかに記載のラッチ解除機構付パッケージ。
【請求項７】
前記レバーは、前記ケースに対して斜め下方の位置にあるとき、前記フック部が前記バネ板部を撓ませないように前記バネ板部に当接し、前記ケースの手前側の底面に当接する位置にあるとき、前記フック部が前記バネ板部を押し下げる請求項２〜６いずれかに記載のラッチ解除機構付パッケージ。
【発明の詳細な説明】
【技術分野】
【０００１】
本発明は、接続するケージに挿抜自在に設けられ、ケージに設けたバネ板部で係脱するラッチ解除機構付パッケージに関する。
【背景技術】
【０００２】
従来から電気通信用パッケージとして、接続端子やケーブルの電気的、光学的整合に必要な部材をケース内に内蔵し、基板上に設置されたケージ内に着脱可能に収容されるように構成されているタイプのものが知られている。
【０００３】
このようなパッケージを収容するケージ内には基板に接続された電気コネクタが設けられており、パッケージがケージ内に収容されると、ケース内の接続端子がその電気コネクタに接続されるように構成されている。
【０００４】
しかしながら、パッケージの動作中にパッケージがケージ内から引き抜かれた場合には、通信が途中で中断してしまうだけでなく、パッケージを含む通信装置が故障してしまうおそれがある。そのため、パッケージは少なくとも動作中はケージ内にしっかりと固定されている必要がある。
【０００５】
例えば、近年、各社から提供されるパッケージに互換性を持たせるために、ＳＦＰ（Ｓｍａｌｌ  Ｆｏｒｍ−ｆａｃｔｏｒ  Ｐｌｕｇｇａｂｌｅ）パッケージのＭＳＡ（Ｍｕｌｔｉ  Ｓｏｕｒｃｅ  Ａｇｒｅｅｍｅｎｔ）と呼ばれる標準規格が業界標準化団体によって設けられ、ＳＦＰパッケージとそれを収容するケージの形状や寸法が規定されている。このＳＦＰのＭＳＡ規格によれば、パッケージの下面に突起部が設けられ、ケージにはその突起部が係止する係止穴が形成されたバネ板部が設けられるので、パッケージをケージ内に収容したときにはパッケージの突起部がケージの係止穴に係止し、パッケージをケージにロックすることができるようになっている。その一方でパッケージをケージから取り外す際には、バネ板部をレバーで撓ませるなどして突起部をバネ板部の係止穴から外してラッチ外しを行う必要がある。
【０００６】
図５（ａ）〜図５（ｇ）および図６（ａ）、図６（ｂ）に示すように、従来のラッチ解除機構付パッケージ５１は、接続するケージ５２に挿抜自在なケース５３を有し、ケージ５２のバネ板部５６に形成した係止孔（係止穴）５４にケース５３に形成した係止用突起部５５を係止し、かつこれをケージ５２に設けたバネ板部５６の撓みで係脱する。
【０００７】
このパッケージ５１では、バネ板部５６を撓ませるレバー５７にレバー５７の位置を復元させる機構として、つまみ部５７ａと一体化した復元用バネ５８ｅもしくは独立した復元用バネ５８ｆを用いており、これによってバネ板部５６を撓ませて係止用突起部５５と係止孔５４との係合を解除した後、レバー５７の位置をバネ板部５６を撓ませる位置よりケース５３側に復元するようになっている。
【０００８】
なお、この出願の発明に関連する先行技術文献情報としては、次のものがある。
【０００９】
【特許文献１】特開２００４−３４３５０６号公報
【発明の開示】
【発明が解決しようとする課題】
【００１０】
しかしながら、つまみ部５７ａと一体化した復元用バネ５８ｅ、および独立した復元用バネ５８ｆにおいては、つまみ部５７ａ等に強い衝撃が加わるなどした場合、バネの部分が破損または脱落して脱落したバネによる装置基板機能の損傷や、レバー位置の復元機能の損失が発生するという問題があった。
【００１１】
そこで、本発明の目的は、レバー位置の復元機能を簡易な機構により実現すると同時に、レバー部の復元用バネの破損および脱落を防止することを可能にするラッチ解除機構付パッケージを提供することにある。
【課題を解決するための手段】
【００１２】
本発明は上記目的を達成するために創案されたものであり、請求項１の発明は、接続するケージに挿抜自在なケースを有し、前記ケージに形成した係止孔に前記ケースに形成した係止用突起部を係止し、かつこれを前記ケージに設けたバネ板部で係脱するラッチ解除機構付パッケージにおいて、前記係止用突起部に係止した前記係止孔を外す方向に回動して前記バネ板部を撓ませるレバーと、そのレバーを前記ケースに回動自在に支持する支軸と、その支軸に巻き付けられ、前記レバーを回動方向とは反対方向に付勢する復元用バネとを備えたラッチ解除機構付パッケージである。
【００１３】
請求項２の発明は、前記レバーは、前記支軸を挿通する軸穴と、その軸穴よりも奥側に設けられ、前記バネ板部を押し下げるフック部と、前記軸穴よりも手前側に設けたつまみ部とで構成される請求項１記載のラッチ解除機構付パッケージである。
【００１４】
請求項３の発明は、前記軸穴は、前記復元用バネを両側から挟むようにレバー本体に一体形成される請求項２記載のラッチ解除機構付パッケージである。
【００１５】
請求項４の発明は、前記復元用バネは、うず巻バネで形成され、一端部が前記ケースの手前側の底面に当接し、中央部が前記支持軸に巻き付けられ、他端部が前記つまみ部に当接する請求項２または３記載のラッチ解除機構付パッケージである。
【００１６】
請求項５の発明は、前記復元用バネは、コイル部と、そのコイル部から延出した延出部とからなるコイルバネで形成され、前記コイル部の一端が前記ケースの手前側の底面に当接し、前記コイル部の他端が前記つまみ部に当接し、前記延出部が前記支軸に巻き付けられる請求項２または３記載のラッチ解除機構付パッケージである。
【００１７】
請求項６の発明は、前記レバーは、前記ケースに対して斜め下方の位置から前記ケースの手前側の底面に当接する位置まで、前記ケースに回動自在に設けられる請求項１〜５いずれかに記載のラッチ解除機構付パッケージである。
【００１８】
請求項７の発明は、前記レバーは、前記ケースに対して斜め下方の位置にあるとき、前記フック部が前記バネ板部を撓ませないように前記バネ板部に当接し、前記ケースの手前側の底面に当接する位置にあるとき、前記フック部が前記バネ板部を押し下げる請求項２〜６いずれかに記載のラッチ解除機構付パッケージである。
【発明の効果】
【００１９】
本発明によれば、脱落したバネによる装置基板機能の損傷や、バネ板部を撓ませるレバーの位置復元機能の損失を防止でき、かつその復元機能を簡易なバネ機構で実現することが可能となる。
【発明を実施するための最良の形態】
【００２０】
以下、本発明の好適な実施形態を添付図面にしたがって説明する。
【００２１】
図１（ａ）は本発明の第１の実施形態を示すラッチ解除機構付パッケージとケージの平面図、図１（ｂ）はそれらの側面図、図１（ｃ）は底面図、図１（ｄ）はレバーの正面図、図１（ｅ）はレバーの側面図、図１（ｆ）はレバーの平面図である。
【００２２】
図１（ａ）〜図１（ｆ）に示すように、ラッチ解除機構付パッケージ１は、接続するケージ１０に挿抜自在に設けられる。ケージ１０は、手前側（前部）（図１では左側）が開口した箱状に形成される。ケージ１０は、例えば、スイッチングハブやメディアコンバータなどのネットワーク機器に備えられ、そのネットワーク機器が備えるマザーボードなどの基板上に設置される。ケージ１０内には、基板に接続された電気コネクタが設けられる。
【００２３】
ケージ１０の手前側の底面には、バネ板部１１が設けられ、そのバネ板部１１に係止孔（係止穴）１２が形成される。図２（ａ）に示すように、バネ板部１１の手前側となる先端には、上側に盛り上がった盛り上がり部が形成される。
【００２４】
図１（ａ）〜図１（ｆ）に示すように、ラッチ解除機構付パッケージ１は、接続するケージ１０に挿抜自在なケース２を有する。このパッケージ１は、例えば、光トランシーバなどの電気通信機器用パッケージ（電気通信用パッケージ）として使用される。
【００２５】
ケース２の手前側には、光ファイバケーブル（光ファイバコード）２０が接続された光コネクタを挿抜するケーブル接続口３が形成される。パッケージ１には、光通信に必要な光信号や電気信号を処理する回路基板や、光ファイバケーブルの電気的、光学的整合に必要な部材、光通信に必要な部材が内蔵される。回路基板や各部材が内蔵されたパッケージ１は、光モジュール（一例として、光トランシーバ）と呼ばれる。回路基板の奥側（後部）（図１では右側）の端部には、ケージ１０の電気コネクタに接続する接続端子が形成される。
【００２６】
ケース２の手前側の底面には、ケージ１０の係止孔１２に係止する係止用突起部４が形成される。係止用突起部４は、ケージ１０内にパッケージ１を完全に収容したときに係止孔１２に係止する位置に形成される。
【００２７】
つまり、ケージ１０にパッケージ１を挿入し、係止用突起部４が係止孔１２に係止すると、パッケージ１の奥側はケージ１０内に完全に収容された状態になる。このとき、パッケージ１内の回路基板の接続端子と、ケージ１０内の電気コネクタが接続するため、パッケージ１とネットワーク機器が電気的に接続される。
【００２８】
さて、ケース２の手前側の底部で、係止用突起部４よりも手前側には、係止用突起部４に係止した係止孔１２を外す方向（図１（ｂ）では上方向）に回動してバネ板部１１を撓ませるレバー５が設けられる。レバー５は、ケース１の手前側の底部に、支軸６で回動自在に支持される。支軸６には、レバー５を回動方向とは反対方向に付勢する復元用バネ７が巻き付けられる。
【００２９】
レバー５は、支軸６を挿通し、レバー５がケース１に支持される支点として機能する軸穴５ａと、その軸穴５ａよりも手前側に設けられ、ユーザーがレバー５を動かすときに力が加えられる力点として機能するつまみ部５ｂと、軸穴５ａよりも奥側に設けられ、バネ板部１１の先端を押し下げる作用点として機能するフック部５ｃとで構成される。
【００３０】
軸穴５ａは、復元用バネ７を両側から挟むようにレバー本体５ｘに一体形成される。つまみ部５ｂの底面には、ユーザーが指を掛けたときの滑り止めとして、複数個の溝を形成してもよい。復元用バネ７および軸穴５ａは支軸６を挿通する。ケース２の底面で、係止用突起部４よりも手前側には、フック部５ｃを収容する凹溝８が形成される。
【００３１】
ケース２の手前側の底部で、係止用突起部４よりも手前側の両側には、支軸６の両端部を押さえる支軸押さえ９が形成される。ケース２にレバー５を取り付けるには、軸穴５ａに支軸６を挿通し、支軸６に復元用バネ７を巻き付け、支軸６の両端を支軸押さえ９で押さえて行う。
【００３２】
図２（ａ）および図２（ｂ）に示すように、復元用バネ７は、軸周りに復元力を与えるうず巻バネで形成され、一端部がケース２の手前側の底面に当接し、中央部が支軸６に巻き付けられ、他端部がつまみ部５ｂの上面に当接する。
【００３３】
レバー５は、ケース２に対して斜め下方の位置（通常位置）からケース２の手前側の底面に当接する位置（ラッチ解除位置）まで、ケース２に回動自在に設けられる。
【００３４】
このレバー５は、通常位置（図１（ｂ）および図２（ａ）の位置）にあるとき、フック部５ｃがバネ板部１１を撓ませないようにバネ板部１１の先端に上側から当接し、ラッチ解除位置にあるとき、フック部５ｃがバネ板部１１の先端を押し下げる。
【００３５】
レバー５は、例えば、射出成形あるいはダイカスト工法等によって、つまみ部５ｂ、軸穴部５ａ、およびフック部５ｃを一体的に成形することができる。その材料には、ナイロン、ＰＢＴ（ポリブチレンテレフタレート）、ＰＰＳ（ポリフェニレンサルファイド）、ＡＢＳ、ＰＯＭ（ポリアセタール）等の樹脂材料、あるいはＺｎやＡｌ等の金属を用いることができる。
【００３６】
第１の実施形態の作用を説明する。
【００３７】
光通信を行っておらず、ケージ１０にパッケージ１を接続した状態で、パッケージ１を他のパッケージと交換する際など、ケージ１０からパッケージ１を引き抜くには、まず、ユーザーがケース２の上面に人差し指（あるいは親指）を置き、つまみ部５ｂの底面に親指（あるいは人差し指）を置き、つまみ部５ｂを持ち上げる。
【００３８】
レバー５は、つまみ部５ｂの上面がケース２の手前側の底面に当接するまで支軸６を中心として回動する。このとき、凹溝８内のフック部５ｃがケース２の底面から突出していくことで、バネ板部１１の先端を押し下げて撓ませ、係止孔１２を係止用突起部４から外す位置まで移動させる。
【００３９】
これにより、係止孔１２が係止用突起部４から外れ、係止用突起部４と係止孔１２との係止状態が解除（ラッチ解除）される。ユーザーはつまみ部５ｂを持ち上げた状態で、ケージ１０内からパッケージ１を引き抜いて取り出すことができる。
【００４０】
また、ユーザーがつまみ部５ｂを下げた状態でパッケージ１を持ち、ケージ１０にパッケージ１を挿入していくと、係止用突起部４、フック部５ｃがバネ板部１１の先端を乗り越え、係止孔１２に係止用突起部４が係止し、ケージ１０にパッケージ１の奥側が収容された状態になる。この状態でケーブル接続口３に、光ファイバケーブルが接続された光コネクタを挿入し、光通信を行う。
【００４１】
パッケージ１では、支軸６に復元用バネ７が巻き付けられており、その復元用バネ７がレバー５を（より詳細には、つまみ部５ｂを下方に）付勢するので、つまみ部５ｂを持ち上げていないとき、レバー５はつまみ部５ｂが下がり、フック部５ｃが上がった状態になり、ケース２に対して斜め下方の姿勢になる。このとき、レバー５のフック部５ｃはケース２の凹溝８内に収容され、かつバネ板部１１を撓ませない程度にバネ板部１１の先端に当接する。
【００４２】
したがって、例えばパッケージ１をケージ１０内に装着するときに、フック部５ｃがケージのバネ板部１１に突き当たって引っかかるようなことがなくなるので、ケージ１０内へのパッケージ１の取り付け作業をスムーズに行うことが可能になる。
【００４３】
このように、ラッチ解除機構付パッケージ１は、支軸６に、レバー５を付勢する独立の復元用バネ７が巻き付けられているため、従来の図５（ｅ）の一体型復元用バネ５８ｅで起こるバネの破損や、図５（ｆ）の独立の復元用バネ５８ｆで起こるバネの脱落を防止することが可能となる。
【００４４】
したがって、パッケージ１によれば、バネ板部１１を撓ませるレバー５の位置復元機能の損失や、脱落したバネによる装置基板機能の損傷を防止すると同時に、レバー位置の復元機能を、レバー５、支軸６、復元用バネ７とからなる簡易なバネ機構で実現することが可能となる。
【００４５】
また、パッケージ１では、復元用バネ７は支軸６を挿通した上でレバー５に取り付けられ、レバー５の軸穴５ａが復元用バネ７を両側から挟むようにレバー本体５ｘに一体形成されるので、レバー５から支軸６が外れない限り、復元用バネ７が脱落することはない。これにより、レバー５に強い衝撃が加わった場合にも、復元用バネ７が破損することはほとんどない。
【００４６】
次に、第２の実施形態を説明する。
【００４７】
図３（ａ）〜図３（ｆ）に示すように、ラッチ解除機構付パッケージ３１は、図１の復元用バネ７に代えて、復元用バネ３７を用いたものである。パッケージ３１のその他の構成は、図１のパッケージ１と同じである。
【００４８】
図４（ａ）および図４（ｂ）に示すように、復元用バネ３７は、上下方向にらせん状に形成されたコイル部３７ａと、そのコイル部３７ａから奥側に延出した延出部３７ｂとからなる軸方向に復元力を与えるコイルバネで形成される。この復元用バネ３７は、コイル部３７ａの一端がケース２の手前側の底面に当接し、コイル部３７ａの他端がつまみ部５ｂに当接し、延出部３７ｂが支軸６に巻き付けられる。
【００４９】
パッケージ３１の動作は、図１のパッケージ１とほぼ同じである。このパッケージ３１でも、パッケージ１と同様に、復元用バネ３７は延出部３７ｂが支軸６を挿通した上でレバー５に取り付けられ、レバー５の軸穴５ａが延出部３７ｂを両側から挟むようにレバー本体５ｘに一体形成されるので、レバー５から支軸６が外れない限り、復元用バネ３７が脱落することはない。これにより、レバー５に強い衝撃が加わった場合にも、復元用バネ３７が破損することはほとんどない。
【００５０】
パッケージ３１のその他の作用効果は、パッケージ１と同じである。
【図面の簡単な説明】
【００５１】
【図１】図１（ａ）は本発明の第１の実施形態を示すラッチ解除機構付パッケージとケージの平面図、図１（ｂ）はそれらの側面図、図１（ｃ）は底面図、図１（ｄ）はレバーの正面図、図１（ｅ）はレバーの側面図、図１（ｆ）はレバーの平面図である。
【図２】図２（ａ）は図１に示したラッチ解除機構付パッケージをケージに装着した状態を示す断面図、図２（ｂ）は復元用バネの側面図である。
【図３】図３（ａ）は本発明の第２の実施形態を示すラッチ解除機構付パッケージとケージの平面図、図３（ｂ）はそれらの側面図、図３（ｃ）は底面図、図３（ｄ）はレバーの正面図、図３（ｅ）はレバーの側面図、図３（ｆ）はレバーの平面図である。
【図４】図４（ａ）は図３に示したラッチ解除機構付パッケージをケージに装着した状態を示す断面図、図４（ｂ）は復元用バネの側面図である。
【図５】図５（ａ）は従来のラッチ解除機構付パッケージとケージの平面図、図５（ｂ）はそれらの側面図、図５（ｃ）は底面図、図５（ｄ）はレバーの正面図、図５（ｅ）はレバーの側面図、図５（ｆ）はレバーの別の例を示す側面図、図５（ｇ）はレバーの平面図である。
【図６】図６（ａ）は図５に示した従来のラッチ解除機構付パッケージをケージに装着した状態を示す断面図、図６（ｂ）は復元用バネの側面図である。
【符号の説明】
【００５２】
１    ラッチ解除機構付パッケージ
２    ケース
４    係止用突起部
５    レバー
６    支軸
７    復元用バネ
１０  ケージ
【図１】
2007334562.tif 000003
【図２】
2007334562.tif 000004
【図３】
2007334562.tif 000005
【図４】
2007334562.tif 000006
【図５】
2007334562.tif 000007
【図６】
2007334562.tif 000008